(57)【要約】【課題】異なる周波数帯のアンテナを一体に形成して構成することによりそれぞれの周波数帯域において受信性能を向上させることが可能なイヤホンアンテナ装置を提供する。【解決手段】イヤホンアンテナ装置１０は、一端にスピーカ１２０を備え、他端に接続手段を備えたＦＭラジオ周波数帯用のイヤホンケーブルアンテナ素子と、一端を前記イヤホンケーブルアンテナ素子の途中に接続され、イヤホンケーブルアンテナ素子の周囲に所定のギャップを隔てて巻回された巻線部と前記巻線部の他端をグランドに接続するグランド接続線１３５とを備えてグランドに容量性・誘導性結合する分岐手段と、を備え、前記接続手段から前記ＦＭラジオ周波数帯用のイヤホンケーブルアンテナ素子に設けられた分岐手段、および前記容量性・誘導性結合を介してグランドに終端する経路がＵＨＦ帯用のイヤホンケーブルアンテナ素子を構成する。【選択図】図１
2008258728.tif 000002
【特許請求の範囲】
【請求項１】
一端にスピーカを備え、他端に接続手段を備えた第1の周波数帯用のイヤホンケーブルアンテナ素子と、前記イヤホンケーブルアンテナ素子の途中からグランドに容量性・誘導性結合する分岐手段と、を備え、
前記接続手段から前記第１の周波数帯用のイヤホンケーブルアンテナ素子に設けられた分岐手段、および前記容量性・誘導性結合を介してグランドに終端する経路が第２の周波数帯用のイヤホンケーブルアンテナ素子を構成することを特徴とするイヤホンアンテナ装置。
【請求項２】
前記分岐手段は、前記第１の周波数帯用のイヤホンケーブルアンテナ素子の途中に一端が接続され前記第１の周波数帯用のイヤホンケーブルアンテナ素子の周囲に所定のギャップを隔てて巻回された巻線部と、前記巻線部の他端をグランドに接続するグランド接続線と、を備えることを特徴とする請求項１に記載のイヤホンアンテナ装置。
【請求項３】
前記巻線部と前記第１の周波数帯用のイヤホンケーブルアンテナ素子との間には、外周囲に溝が形成された絶縁物が挿入され、前記巻線部は前記絶縁物の溝に巻回されることを特徴とする請求項２に記載のイヤホンアンテナ装置。
【請求項４】
前記第１の周波数帯はＦＭラジオ周波数帯であり、前記第２の周波数帯はＵＨＦ帯であることを特徴とする請求項１〜請求項３のいずれかに記載のイヤホンアンテナ装置。
【請求項５】
前記第１の周波数帯用のイヤホンケーブルアンテナ素子の長さは、ＦＭラジオ帯の周波数の波長の１／２、好ましくは１３００ｍｍであることを特徴とする請求項４に記載のイヤホンアンテナ装置。
【請求項６】
前記接続手段から前記分岐手段までの長さは、ＵＨＦ帯の周波数の波長の１／２、好ましくは１１０ｍｍであることを特徴とする請求項４に記載のイヤホンアンテナ装置。
【請求項７】
前記巻線部のインダクタンス値が、７００ｎＨであることを特徴とする請求項４に記載のイヤホンアンテナ装置。
【請求項８】
前記イヤホンアンテナ装置において、前記第１の周波数帯用のイヤホンケーブルアンテナ素子と、前記巻線部および前記グランド接続線を介してグランドに接続される経路とが逆Ｆ型アンテナを構成することを特徴とする請求項４に記載のイヤホンアンテナ装置。
【発明の詳細な説明】
【技術分野】
【０００１】
本発明は、携帯用受信端末に接続されて使用されるイヤホンアンテナ装置、特に、異なる周波数帯域の受信を行うことが可能であると共に人体近接時の影響を軽減させることのできるイヤホンアンテナ装置に関する。
【背景技術】
【０００２】
携帯電話をはじめとする携帯用受信端末においては、ＦＭラジオの受信や、携帯電話・移動体端末向けの1セグメント部分受信サービスなど、ＵＨＦ帯を利用した放送の受信を行い、視聴することを可能とする機能を有するものが流通するようになっている。同時に、これらの放送を受信するためのアンテナの機能と、イヤホンの機能を併せ持つイヤホンアンテナ装置が開発されており、これらイヤホンアンテナ装置を携帯用受信端末に接続して放送の受信と視聴が行われている。
【０００３】
最近では、ＦＭラジオの受信と携帯電話・移動体端末向けの1セグメント部分受信サービスの受信とを同時に行うことのできるイヤホンアンテナ装置が知られている。これらのイヤホンアンテナ装置は、例えば、イヤホンプラグに一端が接続され、他端をスピーカに接続された音声信号線およびアンテナ兼グランド線より構成される。イヤホンプラグが携帯用受信端末に設けられたジャックに挿入されると、音声信号がイヤホンプラグから音声信号線およびスピーカを介してアンテナ兼グランド線に流れる。同時に、各種放送の電波は、アンテナ兼グランド線に高周波数電流として受信され、携帯用受信端末に入力され、必要な変換処理を施され、視聴が可能となる。
【０００４】
ＦＭラジオの受信と、ＵＨＦ帯を利用した放送の受信とを同時に行うことのできる既存のイヤホンアンテナ装置は、ＦＭ帯とＵＨＦ帯が１つの広帯域用のアンテナとして構成されているものであった。
【０００５】
ところで、これらのイヤホンアンテナ装置は、手で把持したり、衣服のポケットなどに収納したりする人体近接時に受信性能が大きく低下することから、人体近接時の影響を受け難くしたイヤホンアンテナ装置が開発されてきた。例えば、下記特許文献１（特開２００６−２５３９２号公報）は、人体近接時の影響を受けにくいイヤホンケーブルアンテナを備え、安定したアンテナ性能が得られるＵＨＦ帯のイヤホンケーブルアンテナ装置、接続ケーブル及び放送受信装置を開示している。
【０００６】
このイヤホンケーブルアンテナ装置は、運用周波数帯域の略４分の３波長の長さを有するイヤホンケーブルアンテナ素子と、イヤホンケーブルアンテナ素子よりも長く、イヤホンケーブルアンテナ素子と平行に配置された信号線と、信号線における放送受信装置側の接続端から運用周波数帯域の略４分の３波長隔てた位置で信号線に流れる高周波電流を切断する高周波切断回路とを備えるものである。
【０００７】
このイヤホンケーブルアンテナ装置によれば、イヤホンケーブルアンテナ素子に高周波切断回路を挿入したことによって、イヤホンケーブルアンテナ素子の全長部分ではなく、一部分、特に運用周波数帯域の略４分の３波長の長さの部分をアンテナとして利用することによって、高周波電流の多くが主にアンテナ素子に流れ、携帯受信端末本体に流れる電流は少なくて済む。このため、広帯域特性を有しながらも、携帯受信端末本体を手で持ったり使用者の体に近接したりした時のアンテナ性能の劣化を少なくすることができる。
【特許文献１】特開２００６−２５３９２号公報（要約、段落［００４２］、段落［００５２］）
【発明の開示】
【発明が解決しようとする課題】
【０００８】
しかしながら、従来のイヤホンアンテナ装置において、ＦＭラジオの受信と、ＵＨＦ帯を利用した放送の受信とを同時に行うためには、ＦＭ帯とＵＨＦ帯が１つの広帯域用のアンテナとして構成される必要があった。このため、特にＵＨＦ帯の放送を受信するためにはアンテナ素子が長すぎるため、受信性能が低下するという欠点があった。
【０００９】
さらに、上記特許文献１に記載されたイヤホンケーブルアンテナ装置は、人体近接時のアンテナ性能の劣化を防ぐ点では効果を発揮するものではあるが、異なる周波数帯の電波を受信するためのものではなかった。
【００１０】
したがって、本発明は上記の問題点を解消することを課題とし、異なる周波数帯のアンテナを一体に形成して構成することによりそれぞれの周波数帯域において受信性能を向上させることが可能なイヤホンアンテナ装置を提供することを目的とするものである。
【００１１】
また、本発明の目的は、人体近接時のアンテナの性能低下を防止することのできるイヤホンアンテナ装置を提供することにある。
【００１２】
さらに、本発明の目的は、イヤホンアンテナ装置の長さを短くして利便性を高めたイヤホンアンテナ装置を提供することにある。
【課題を解決するための手段】
【００１３】
上記課題を解決するために、本発明の請求項１にかかるイヤホンアンテナ装置は、一端にスピーカを備え、他端に接続手段を備えた第1の周波数帯用のイヤホンケーブルアンテナ素子と、前記イヤホンケーブルアンテナ素子の途中からグランドに容量性・誘導性結合する分岐手段と、を備え、前記接続手段から前記第１の周波数帯用のイヤホンケーブルアンテナ素子に設けられた分岐手段、および前記容量性・誘導性結合を介してグランドに終端する経路が第２の周波数帯用のイヤホンケーブルアンテナ素子を構成することを特徴とする。
【００１４】
また、請求項２にかかるイヤホンアンテナ装置の発明は、請求項１にかかり、前記分岐手段は、前記第１の周波数帯用のイヤホンケーブルアンテナ素子の途中に一端が接続され前記第１の周波数帯用のイヤホンケーブルアンテナ素子の周囲に所定のギャップを隔てて巻回された巻線部と、前記巻線部の他端をグランドに接続するグランド接続線と、を備えることを特徴とする。
【００１５】
また、請求項３にかかるイヤホンアンテナ装置の発明は、請求項２にかかり、前記巻線部と前記第１の周波数帯用のイヤホンケーブルアンテナ素子との間には、外周囲に溝が形成された絶縁物が挿入され、前記巻線部は前記絶縁物の溝に巻回されることを特徴とする。
【００１６】
また、請求項４にかかるイヤホンアンテナ装置の発明は、請求項１〜３にかかり、前記第１の周波数帯はＦＭラジオ周波数帯であり、前記第２の周波数帯はＵＨＦ帯であることを特徴とする。
【００１７】
また、請求項５にかかるイヤホンアンテナ装置の発明は、請求項４にかかり、前記第１の周波数帯用のイヤホンケーブルアンテナ素子の長さは、ＦＭラジオ帯の周波数の波長の１／２、好ましくは１３００ｍｍであることを特徴とする。
【００１８】
また、請求項６にかかるイヤホンアンテナ装置の発明は、請求項４にかかり、前記接続手段から前記分岐手段までの長さは、ＵＨＦ帯の周波数の波長の１／２、好ましくは１１０ｍｍであることを特徴とする。
【００１９】
また、請求項７にかかるイヤホンアンテナ装置の発明は、請求項４にかかり、前記巻線部のインダクタンス値が、７００ｎＨであることを特徴とする。
【００２０】
また、請求項８にかかるイヤホンアンテナ装置の発明は、請求項４にかかり、前記イヤホンアンテナ装置において、前記第１の周波数帯用のイヤホンケーブルアンテナ素子と、前記巻線部および前記グランド接続線を介してグランドに接続される経路とが逆Ｆ型アンテナを構成することを特徴とする。
【発明の効果】
【００２１】
本発明のイヤホンアンテナ装置は、下記のような優れた効果を奏する。
【００２２】
即ち、請求項１に記載のイヤホンアンテナ装置の発明によれば、接続手段からスピーカに至る第１の周波数帯用のイヤホンケーブルアンテナ素子が第１の周波数帯における第１の共振回路を構成し、接続手段から分岐手段、および前記容量性・誘導性結合を介してグランドに終端する第２の周波数帯用のイヤホンケーブルアンテナ素子が第２の周波数帯における第２の共振回路を構成する。これにより、異なる周波数帯のアンテナを組合わせて一体形成してイヤホンに組込むことが可能となるとともに、それぞれの周波数帯域における受信性能を向上させることが可能となる。また、同じアンテナ方式の異なる周波数帯用のアンテナを併設した場合に生じるような干渉による特性低下を避けることが可能となり、高品質なイヤホンアンテナ装置を提供することができる。
【００２３】
また、請求項２に記載のイヤホンアンテナ装置の発明によれば、分岐手段を、第１の周波数帯用のイヤホンケーブルアンテナ素子の周囲に所定のギャップを隔てて巻回した巻線部とし、その一端を第１の周波数帯用のイヤホンケーブルアンテナ素子の途中に接続し、他端はグランド線を介してグランド接続する。これによって第１の周波数帯用のイヤホンケーブルアンテナ素子からグランドに容量性・誘導性結合することが可能となり、接続手段から第１の周波数帯用のイヤホンケーブルアンテナ素子の途中まで、および前記容量性・誘導性結合を介してグランドに終端する第２の共振回路を構成することができる。第２の共振回路は、誘導性結合によってグランドに接続されているため、人体近接時の影響が少ない。また、第１の周波数帯用のイヤホンケーブルアンテナ素子の全長部分と、第１の周波数帯用のイヤホンケーブルアンテナ素子の途中から誘導性結合によってグランドに接続される経路によって逆Ｆ型アンテナ構造が形成されるため、人体近接時にモノポールアンテナと比較した場合影響が少ない。
【００２４】
また、請求項３に記載のイヤホンアンテナ装置の発明によれば、第１の周波数帯用のイヤホンケーブルアンテナ素子と巻線間には絶縁物が介在されるとともに、溝を形成することによって第１の周波数帯用のイヤホンケーブルアンテナ素子と巻線との間のギャップ幅が一定に維持され、ギャップの精度を高くすることが可能となり、イヤホンアンテナ装置の特性向上を図ることができる。
【００２５】
また、請求項４に記載のイヤホンアンテナ装置の発明によれば、ＦＭラジオの受信と、ＵＨＦ帯の電波の受信の両方に有効なイヤホンアンテナ装置を提供できる。特に、このイヤホンアンテナを携帯端末等に接続することによって、手軽にＦＭラジオやＵＨＦ帯の電波を利用するワンセグ地上波デジタルテレビジョン放送を視聴することが可能となる。
【００２６】
また、請求項５に記載のイヤホンアンテナ装置の発明によれば、第１の周波数帯用のイヤホンケーブルアンテナ素子の長さをＦＭラジオ帯の周波数の波長の１／２とすることによって、ＦＭラジオ帯の受信を行う際にアンテナとしての最大利得を得ることが可能となる。
【００２７】
また、請求項６に記載のイヤホンアンテナ装置の発明によれば、前記接続手段から前記分岐手段までの長さをＵＨＦ帯の周波数の波長の１／２とすることによってＵＨＦ帯の受信を行う際にアンテナとしての最大利得を得ることが可能となる。また、ＵＨＦ帯の周波数は４７０〜７７０ＭＨｚであり、これに対する１／２波長の長さは、１９４ｍｍ〜３１２ｍｍであるが、ＵＨＦ帯のアンテナの先端が巻線となっているために１１０ｍｍとすることができる。これによって、アンテナのケーブル長を短くすることが可能となる。
【００２８】
また、請求項７に記載のイヤホンアンテナ装置の発明によれば、巻線部のインダクタンス値を７００ｎＨにすることによって、前記接続手段から前記第１の周波数帯用のイヤホンケーブルアンテナ素子に設けられた分岐手段までをＵＨＦ帯用のアンテナ素子として機能させ、分岐手段からスピーカにかけての部分はＵＨＦ帯用のアンテナ素子として機能させないようにすることが可能となる。さらに、７００ｎＨの巻線が接続されることによって、第１の周波数帯用のイヤホンケーブルアンテナ素子を逆Ｆ型アンテナとして機能させることが可能となる。
【００２９】
また、請求項８に記載のイヤホンアンテナ装置の発明によれば、第１の周波数帯用のイヤホンケーブルアンテナ素子と、巻線部およびグランド接続線を介してグランドに接続される経路とが逆Ｆ型アンテナを構成するため、第１の周波数帯の電波を受信時に、高周波電流が容量性結合を介してグランドに流れるようになり、モノポールアンテナと比した場合に人体近接時の影響を軽減することが可能となる。
【発明を実施するための最良の形態】
【００３０】
以下、本発明の具体例を実施例及び添付の図面を用いて詳細に説明する。但し、以下に示す実施例は、本発明の技術思想を具体化するためのイヤホンアンテナ装置を例示するものであって、本発明をこのイヤホンアンテナ装置に特定することを意図するものではなく、特許請求の範囲に含まれるその他の実施形態のイヤホンアンテナ装置にも等しく適用し得るものである。
【実施例】
【００３１】
図１を参照して本発明の実施例におけるイヤホンアンテナ装置について説明する。図１は、本発明の実施例におけるイヤホンアンテナ装置と、それが接続される携帯用受信端末との概略図である。
【００３２】
イヤホンアンテナ装置１０は、イヤホンアンテナケーブル１３０と、その一端に設けられたプラグ１１０と、イヤホンアンテナケーブル１３０の他端に設けられたスピーカ１２０より構成される。
【００３３】
プラグ１１０は、後述する携帯用受信端末２０の携帯用受信端末本体２００に設けられたジャック２２０に挿入されるのに適した形状のものであり、イヤホンアンテナ装置１０を携帯用受信端末２０に接続した際に、イヤホンアンテナ装置１０をイヤホンとしてもアンテナ装置としても使用することができるようにするものである。
【００３４】
スピーカ１２０は、イヤホン用のスピーカであって、種々の形態の既存のものを使用することができる。
【００３５】
イヤホンアンテナケーブル１３０は、アンテナ兼グランド線１３１、音声信号線１３２を有する。アンテナ兼グランド線１３１と音声信号線１３２は、イヤホンアンテナケーブル１３０の携帯用受信端末２０に接続される端部に設けられたプラグ１１０からもう一方の端部に設けられたスピーカ１２０間において平行に延在される。
【００３６】
また、アンテナ兼グランド線１３１の途中には分岐点１３３が設けられ、分岐点１３３にはアンテナ兼グランド線１３１および音声信号線１３２の周囲に所定のギャップを隔てて巻回された巻線部１３４の一端が接続される。巻線部１３４の他端はグランド接続線１３５に接続され、グランド接続線１３５はイヤホンアンテナケーブル１３０の携帯用受信端末２０に接続される端部までアンテナ兼グランド線１３１および音声信号線１３２と平行に延在されてプラグ１１０に接続される。分岐点１３３における巻線部１３４の一端とアンテナ兼グランド線１３１との接続は機械的な接続、つまり工具等によってかしめることによって行われる。
【００３７】
次に、巻線部１３４の構造について詳細に説明する。巻線部１３４は絶縁物としての絶縁体（図示せず）の周囲に巻回される。この絶縁体の外表面には、例えばらせん状に形成されたらせん状溝が設けられており、このらせん状溝内に巻線部１３４を構成する導体が挿入され、絶縁体に巻付けられるようになされている。また、絶縁体の中心軸部分には挿通穴が設けられ、ここにアンテナ兼グランド線１３１および音声信号線１３２が挿通される。
【００３８】
上記の巻線部１３４の構造によって、アンテナ兼グランド線１３１と巻線部１３４は、誘導性結合されるとともに、巻線とアンテナ兼グランド線１３１とが所定のギャップを隔てているために容量性結合される。さらに、巻線部１３４を絶縁体に形成されたらせん状溝に巻回させることによって巻線部１３４とアンテナ兼グランド線１３１との間のギャップが一定に維持されることから、ギャップの精度が向上し、誘導性・容量性接続の特性を安定させることができ、イヤホンアンテナ装置１０の特性向上を図ることができる。
【００３９】
イヤホンアンテナ装置１０を、上記の構造とすることによって、二つの周波数帯域に適合する構造とすることができる。先ず、プラグ１１０からアンテナ兼グランド線１３１を介してスピーカ１２０に至る経路によって第１の周波数帯用のイヤホンケーブルアンテナ素子が構成される。
【００４０】
また、プラグ１１０からアンテナ兼グランド線１３１の分岐点１３３、そして巻線部１３４とグランド接続線１３５を介してプラグ１１０に至る経路によって第２の周波数帯用のイヤホンケーブルアンテナ素子が構成される。なお、プラグ１１０がジャック２２０に差込まれると、グランド接続線１３５は携帯用受信端末本体２００に設けられた回路基板２１０のグランド回路２６０に接続され、グランド接続される。
【００４１】
なお、プラグ１１０からスピーカ１２０に至るアンテナ兼グランド線１３１の長さＬ１は、第１の周波数帯の周波数の波長λの１／２である。また、プラグ１１０からアンテナ兼グランド線１３１に設けられる分岐点１３３までの長さＬ２は、第２の周波数帯の周波数の波長λの１／２である。この長さとすることによって、アンテナとして最大の利得を得ることができるようになる。
【００４２】
ここで、例えば、第１の周波数帯はＦＭラジオ周波数帯（７６ＭＨｚ〜１０８ＭＨｚ）であり、第２の周波数帯はＵＨＦ帯（４７０ＭＨｚ〜７７０ＭＨｚ）である。この場合、プラグ１１０からスピーカ１２０に至るアンテナ兼グランド線１３１の長さＬ１は、１３００ｍｍとすることが好ましい。さらに、プラグ１１０からアンテナ兼グランド線１３１に設けられる分岐点１３３までの長さＬ２は、ＵＨＦ帯の周波数の波長の１／２である１９４ｍｍ〜３１２ｍｍとすることができるが、第２の周波数帯用のイヤホンケーブルアンテナ素子の先端が巻線となっているために、１１０ｍｍとすることが好ましい。
【００４３】
さらに、この場合、巻線部１３４のインダクタンス値は、７００ｎＨとすることが好ましい。このようにすると、ＦＭ周波数帯の周波数信号においては抵抗値の小さい導体みなすことができるため、アンテナ兼グランド線１３１の全長部分をＦＭ周波数帯用のアンテナ素子として機能させることができる一方、ＵＨＦ帯の周波数信号においては、この巻線はグランド接続線１３５にこの誘導性結合と容量性結合を行うＵＨＦ帯用のアンテナ素子として機能させることができる。
【００４４】
また、巻線部１３４のインダクタンス値が７００ｎＨであることによって、このインダクタンスと、アンテナ兼グランド線１３１のプラグ１１０から分岐点１３３までのアンテナ素子によって、６００Ｈｚを中心とした広帯域ＵＨＦ帯アンテナを構成することができる。
【００４５】
次に、上述したイヤホンアンテナ装置１０が接続されて使用される携帯用受信端末２０について説明する。
【００４６】
携帯用受信端末２０は、携帯用受信端末本体２００、携帯用受信端末本体２００の内部に収容された回路基板２１０、回路基板２１０に設置され、携帯用受信端末本体２００の筐体外面に挿入口が露出したジャック２２０、回路基板２１０上において一端をジャック２２０に接続され他端をグランドに接続されたコイル２３０、整合回路２４０、入力側が整合回路２４０に接続され、出力側がジャック２２０に接続された放送受信回路２５０、ジャック２２０に接続されたグランド回路２６０より構成される。
【００４７】
携帯用受信端末２０は、例えば携帯電話機、携帯情報端末（ＰＤＡ：Ｐｅｒｓｏｎａｌ  Ｄｉｓｉｔａｌ  Ａｓｓｉｓｔａｎｔ）などであって、特に、ＦＭラジオの受信と携帯電話・移動体端末向けの1セグメント部分受信サービスの受信とを行い、それぞれ視聴することが可能な携帯端末装置であるものとする。ジャック２２０は、上述したイヤホンアンテナ装置１０のプラグ１１０が挿入・接続されるものである。
【００４８】
プラグ１１０がジャック２２０に差込まれると、イヤホンアンテナ装置１０のアンテナ兼グランド線１３１がコイル２３０および整合回路２４０に接続され、放送受信回路２５０の出力側が音声信号線１３２に接続され、グランド接続線１３５がグランド回路２６０に接続される。
【００４９】
イヤホンアンテナ装置１０のアンテナ兼グランド線１３１を流れる信号は、プラグ１１０およびジャック２２０を介して携帯用受信端末本体２００の回路基板２１０に入力され、コイル２３０によって低周波数の信号が除去され、他の信号成分がキャパシタを介して整合回路２４０に入力される。整合回路２４０からの出力信号は放送受信回路２５０に入力され、入力信号を復調・増幅して音声信号に変換し、その出力を、ジャック２２０およびプラグ１１０を介して音声信号線１３２に出力してスピーカ１２０から発音させる。
【００５０】
次に、図２を参照して、上記のイヤホンアンテナ装置１０がＦＭラジオの電波を受信する第１の周波数帯用のイヤホンケーブルアンテナ素子として動作している場合と、ＵＨＦの電波を受信する第２の周波数帯用のイヤホンケーブルアンテナ素子として動作している場合について説明する。なお、図２（ａ）は、図１に示したイヤホンアンテナ装置の等価回路図であり、図２（ｂ）は、第１の周波数帯用のイヤホンケーブルアンテナ素子として動作している場合の説明図である。
【００５１】
先ず、図２（ａ）を参照すると、図１におけるプラグ１１０の先端部分が給電点１３６となり、給電点１３６からスピーカ１２０までのアンテナ兼グランド線１３１上に、ＦＭ周波数帯の高周波電流が、その周波数の波長の１／２の波長で第1の共振状態１３７で流れており、ＦＭ周波数帯用のアンテナ素子として機能している。
【００５２】
また、給電点１３６からアンテナ兼グランド線１３１の分岐点１３３までと、巻線部１３４によって形成された誘導性・容量性結合を介してグランドに至る経路に、ＵＨＦ周波数帯の高周波電流が、その周波数の波長の１／２の波長で第２の共振状態１３８にあり、ＵＨＦ周波数帯用のアンテナ素子として機能している。
【００５３】
さらに、ＦＭ周波数帯用のアンテナ素子は、ＦＭ周波数帯の電波の受信中において、図２（ｂ）の等価回路に示されるように、給電点１３６からアンテナ兼グランド線１３１のスピーカ１２０に至る経路の途中の分岐点１３３から誘導性素子を介してグランドが接続された逆Ｆ型アンテナ構造となっている。この構造によって、ＦＭ周波数帯の高周波電流は誘導性素子を介してグランドにも流れるようになり、モノポールアンテナと比した場合に、人体近接時の影響が少なくなる。
【００５４】
以上、説明したように、上記のイヤホンアンテナ装置は、異なる周波数帯域のアンテナ素子をイヤホンケーブルに組込むことができ、このイヤホンアンテナ装置が接続される携帯用受信端末では、ＦＭラジオ放送を受信して視聴できるとともに、ＵＨＦ周波数帯を利用した携帯電話・移動体端末向けの1セグメント部分受信サービスの受信を行い視聴することができるようになる。
【図面の簡単な説明】
【００５５】
【図１】本発明の実施例におけるイヤホンアンテナ装置と、それが接続される携帯用受信端末との概略図である。
【図２】図２（ａ）は、図１に示したイヤホンアンテナ装置の等価回路図であり、図２（ｂ）は、第１の周波数帯用のイヤホンケーブルアンテナ素子として動作している場合の説明図である。
【符号の説明】
【００５６】
１０      イヤホンアンテナ装置
２０      携帯用受信端末
１１０    プラグ
１２０    スピーカ
１３０    イヤホンアンテナケーブル
１３１    アンテナ兼グランド線
１３２    音声信号線
１３３    分岐点
１３４    巻線部
１３５    グランド接続線
【図１】
2008258728.tif 000003
【図２】
2008258728.tif 000004